(57)【要約】      （修正有）【課題】多方向に出入りする車両を収容できる。【解決手段】積載機構と積載機構上方の洗浄機構を具え、洗浄機構が動力装置と洗浄装置を具えている。洗浄機構と積載機構が枢軸で組み合わされ、且つ積載機構は可動回転板と固定箱が上下に対応し組み合わされてなり、並びに枢軸を中心として可動回転盤が固定箱と洗浄機構に対して回転する。【選択図】図１
0003103131.tif 000002
【実用新案登録請求の範囲】
【請求項１】
積載機構と積載機構上方の洗浄機構を具え、洗浄機構が動力装置と洗浄装置を具えている多方向式洗車機において、
洗浄機構と積載機構が枢軸で組み合わされ、且つ積載機構が可動回転板と固定箱で構成されて枢軸を中心として可動回転盤が固定箱と洗浄機構に対して回転することを特徴とする、多方向式洗車機。
【請求項２】
請求項１記載の多方向式洗車機において、積載機構が可動回転盤と固定箱が上下に対応するよう組み合わされてなることを特徴とする、多方向式洗車機。
【請求項３】
請求項２記載の多方向式洗車機において、可動回転盤の底部に枢軸を中心として円盤状の浅溝が形成され、該浅溝の溝壁に複数の歯が形成され、該浅溝の周囲に複数の案内手段が環状に配設され、固定箱は地面の凹みに埋め込まれ、且つ凹んだ地面に対応する箱体を形成し、箱体内周に肩部が形成され、肩部表面に、可動回転盤の円盤状の浅溝に対応する環状レールが設けられ、また箱体内部中央に枢軸スリーブが設けられて可動回転盤底部の枢軸を収容し、且つ箱体内部に動力歯車セットが設けられて可動回転盤内周の歯に噛み合い、可動回転盤を駆動し回転させられることを特徴とする、多方向式洗車機。
【請求項４】
請求項３記載の多方向式洗車機において、円盤状の浅溝の周囲に環状に配設された案内手段が案内輪とされたことを特徴とする、多方向式洗車機。
【考案の詳細な説明】
【技術分野】
【０００１】
本考案は一種の多方向式洗車機に係り、特に、多方向に出入りする車両を収容できる構造を具えた洗車機に関する。
【背景技術】
【０００２】
工商業が急速に発展し、交通工具が大幅に増加し且つ種類も非常に多くなり、道路状況、天候と空気の環境の影響により、車両の外観が汚れる機会が増し、車両の美観と清潔を保持するため、洗車が必要である。現代人の生活テンポは速く、このため手作業による洗車がない場合は、洗車機により水力或いはブラシでの自動、快速洗車が流行している。
【０００３】
一般に洗車機は車両の形態に合わせて多くがいわゆるトンネル式の洗車機とされ、車両が洗車機の構成するトンネルに進入するか或いは車両が固定されて機械が移動するかのいずれであっても、いずれも「直線方向」に属する。このため車両の洗車完了後に、その路線は洗車機のトンネルのもう一つの連通する出口へと出るだけであり、このため車両はある多方向より直線方向にある洗車機の洗浄範囲に進出しなければならない。このため空間の利用が制限され、洗車時間が延長され空間と時間の利用性に乏しい。
【考案の開示】
【考案が解決しようとする課題】
【０００４】
本考案は一種の多方向式洗車機を提供することを課題とし、それは、車両が多方向を以て洗車機の洗浄範囲に進出でき、方向の制限性がないものとする。
【課題を解決するための手段】
【０００５】
請求項１の考案は、積載機構と積載機構上方の洗浄機構を具え、洗浄機構が動力装置と洗浄装置を具えている多方向式洗車機において、
洗浄機構と積載機構が枢軸で組み合わされ、且つ積載機構が可動回転板と固定箱で構成されて枢軸を中心として可動回転盤が固定箱と洗浄機構に対して回転することを特徴とする、多方向式洗車機としている。
請求項２の考案は、請求項１記載の多方向式洗車機において、積載機構が可動回転盤と固定箱が上下に対応するよう組み合わされてなることを特徴とする、多方向式洗車機としている。
請求項３の考案は、請求項２記載の多方向式洗車機において、可動回転盤の底部に枢軸を中心として円盤状の浅溝が形成され、該浅溝の溝壁に複数の歯が形成され、該浅溝の周囲に複数の案内手段が環状に配設され、固定箱は地面の凹みに埋め込まれ、且つ凹んだ地面に対応する箱体を形成し、箱体内周に肩部が形成され、肩部表面に、可動回転盤の円盤状の浅溝に対応する環状レールが設けられ、また箱体内部中央に枢軸スリーブが設けられて可動回転盤底部の枢軸を収容し、且つ箱体内部に動力歯車セットが設けられて可動回転盤内周の歯に噛み合い、可動回転盤を駆動し回転させられることを特徴とする、多方向式洗車機としている。
請求項４の考案は、請求項３記載の多方向式洗車機において、円盤状の浅溝の周囲に環状に配設された案内手段が案内輪とされたことを特徴とする、多方向式洗車機としている。
【考案の効果】
【０００６】
本考案は以下のような効果を有する。
１．本考案は車両が多方向に洗車機の洗浄範囲を進出でき、方向の制限性がない。
２．本考案の取り付けは容易であり、一般の洗車機の取り付け時間の２分の１の時間で取り付けることができる。
３．本考案の積載機構は洗浄機構内部に露出し、このためメンテナンスが容易である。
４．本考案は洗車場所を直線状に進出する不便がなく、洗車フローを簡易化でき、洗車フローを周知のものの約２分の１まで節約できる。
５．本考案の積載機構は洗浄機構内部に露出し、このため不洗車時には空間を洗車目的以外に使用でき、洗車目的の制限を受けない。
総合すると、本考案は実用性を具え、且つその出願前に頒布された刊行物にその構造は記載されておらず、また公開使用もされていないため、新規性を具備している。
【考案を実施するための最良の形態】
【０００７】
本考案の多方向式洗車機は積載機構と積載機構上方の洗浄機構を具え、洗浄機構が動力装置と洗浄装置を具えている。
【０００８】
本考案では特に、洗浄機構と積載機構が枢軸で組み合わされ、且つ積載機構が可動回転板と固定箱とされて上下に対応し組み合わされ、並びに枢軸を中心として可動回転盤が固定箱と洗浄機構に対して回転する。
【実施例１】
【０００９】
図１に示されるように、本考案は、洗車機が積載機構と積載機構上方の洗浄機構を具え、洗浄機構が動力装置と洗浄装置を具えた多方向式洗車機において、洗浄機構と積載機構が枢軸で組み合わされ、且つ積載機構が回転板と固定箱とされて上下に対応し組み合わされ、並びに枢軸を中心として可動回転盤が固定箱と洗浄機構に対して回転することを特徴としている。
【００１０】
洗浄機構２は積載機構１の上方に設けられる。洗浄機構は動力装置と洗浄装置を具えている（この二つの装置の内部構造は本考案の実用新案登録請求の範囲の標的ではないため、図示しない）。
【００１１】
図２と図３を参照されたい。本考案の積載機構１は可動回転盤１１と固定箱１２が上下に対応するよう組み合わされてなる。可動回転盤１１の底部中央に枢軸１１１が設けられ、また可動回転盤１１の底部に枢軸１１１を中心とし、円盤状の浅溝１１２が形成され、円盤状の浅溝１１２の溝壁に複数の歯１１３が設けられている。また、浅溝１１２の外周に複数の案内手段１１４（案内輪とされうる）が設けられている。
【００１２】
固定箱１２は地面の凹みに埋め込まれ、且つ凹んだ地面に対応し箱体を形成し、箱体内縁に肩部１２１が形成され、肩部１２１の表面に、浅溝１１２の案内手段１１４に対応する環状レール１２２が設けられている。また、箱体内部中央に枢軸スリーブ１２３が設けられ、該枢軸スリーブ１２３に可動回転盤１１底部の枢軸１１１が挿入される。且つ箱体内部に動力歯車セット１２４が設けられ、可動回転盤１１内周の歯１１３に噛み合い、並びに可動回転盤１１を駆動し回転を形成する。
【００１３】
図４、図６に示されるように、本考案の積載機構１の可動回転盤１１の上面は車両３の進入、停車、並びに洗浄機構２の洗浄動作に供される。
【００１４】
図５と図７に示されるように、車両洗浄完了後に、本考案の積載機構１の固定箱１２の動力歯車セット１２４が起動後、可動回転盤１１内周の歯１１３と噛み合い、並びに可動回転盤１１を駆動して回転させることができる。これにより車両３は３６０度の範囲で可動回転盤１１に伴い回転可能である。これにより、従来のトンネル式洗車機のように、直線方向に洗車機を離れる必要がない。
【００１５】
言い換えると、本考案は既存の洗車機よりも大きな回転空間と車両の出入り方向に更に大きな可能性を提供する。
【図面の簡単な説明】
【００１６】
【図１】本考案の断面図である。
【図２】本考案の積載機構の立体分解図である。
【図３】本考案の積載機構の組合せ平面図である。
【図４】本考案の洗車状態側面断面図である。
【図５】本考案の車両が出る時の側面断面図である。
【図６】本考案の洗車状態平面図である。
【図７】本考案の車両が出る時の平面図である。
【符号の説明】
【００１７】
１  積載機構
１１  可動回転盤
１２  固定箱
１１１  枢軸
１１２  浅溝
１１３  歯
１１４  案内手段
１２１  肩部
１２２  環状レール
１２３  枢軸スリーブ
１２４  動力歯車セット
２  洗浄機構
３  車両
【図１】
0003103131.tif 000003
【図２】
0003103131.tif 000004
【図３】
0003103131.tif 000005
【図４】
0003103131.tif 000006
【図５】
0003103131.tif 000007
【図６】
0003103131.tif 000008
【図７】
0003103131.tif 000009